(57)【要約】【課題】  割引ポイントを付与する複数の店舗と、割引ポイントを利用できる複数の駐車場との関係を携帯端末上で管理することにより、各店舗から付与された割引ポイントを一元管理する。【解決手段】  携帯端末２は、駐車場の割引ポイントを付与する店舗により付与された割引ポイントと、割引ポイントを付与した店舗と、店舗により付与された割引ポイントを利用することができるポイント利用可能駐車場とについての対応を示す対応情報を含む駐車割引管理ファイル２２を記憶するファイル記憶部２１と、ファイル記憶部２１の記憶する駐車割引管理ファイル２２の取得を求める取得要求を受信する端末側通信部２５と、端末側通信部２５の受信した取得要求に応答して、駐車割引管理ファイル２２を端末側通信部２５を介して送信するファイル制御部２３とを備えた。【選択図】        図３
2005284787.tif 000002
【特許請求の範囲】
【請求項１】
所定の特典を付与する特典付与元により付与された特典と、特典を付与した特典付与元と、特典付与元により付与された特典を利用することができる特典利用先とについての対応を示す対応情報を含む対応情報ファイルを記憶するファイル記憶部と、
前記ファイル記憶部の記憶する対応情報ファイルの取得を求める取得要求を受信する通信部と、
前記通信部の受信した取得要求に応答して、対応情報ファイルを前記通信部を介して送信するファイル制御部と
を備えたことを特徴とする携帯端末。
【請求項２】
前記対応情報ファイルは、
所定の特典を付与する複数の特典付与元のそれぞれにより付与された特典と、特典を付与した特典付与元のそれぞれと、特典付与元のそれぞれにより付与されたそれぞれの特典を利用することができる少なくとも１つの特典利用先とについての対応を示す対応情報を含むことを特徴とする請求項１記載の携帯端末。
【請求項３】
前記特典利用先は複数であることを特徴とする請求項２記載の携帯端末。
【請求項４】
前記対応情報は、
特典利用先として特典付与元を含むことを特徴とする請求項１または２または３記載の携帯端末。
【請求項５】
前記通信部は、
所定の特典付与元に設置されて、前記所定の特典付与元と、前記所定の特典付与元が付与する特典と、前記所定の特典付与元により付与された特典を利用することができる特典利用先とについての関係を示す付与元情報を送信する情報送信装置から前記付与元情報を受信し、
前記ファイル制御部は、
前記通信部が受信した付与元情報に基づいて対応情報ファイルを修正することを特徴とする請求項１または２または３または４記載の携帯端末。
【請求項６】
前記通信部の受信する付与元情報には、所定の付加情報が付加されており、
前記携帯端末は、さらに、画像を表示する表示部を備え、
前記ファイル制御部は、
前記通信部の受信した付与元情報に含まれる付加情報に基づいて付加情報に対応する画像を前記表示部に表示することを特徴とする請求項５記載の携帯端末。
【請求項７】
所定の駐車場から退場する車両の駐車料金を精算する駐車料金精算システムであって、
駐車料金の割引特典を付与する特典付与元により付与された割引特典と、割引特典を付与した特典付与元と、特典付与元により付与された割引特典を利用することができる特典利用先を示す割引駐車場とについての対応を示す対応情報を含む対応情報ファイルを記憶する携帯端末と、
車両に設置され、前記車両が前記所定の駐車場の退場時に前記所定の駐車場からの退場を要求する退場通知信号を送信するとともに、前記携帯端末を制御する車載器と、
前記車載器を介して前記携帯端末から対応情報ファイルを受信して前記車両の駐車料金の精算計算を行う駐車場管理計算機と
を備え、
前記駐車場管理計算機は、
前記車載器の送信した退場通知信号に応答して前記携帯端末の記憶する対応情報ファイルの送信を求める送信要求信号を前記車載器に送信し、
前記車載器は、
送信要求信号を受信した場合に、前記携帯端末に対して対応情報ファイルの取得を要求して前記携帯端末の記憶する対応情報ファイルを読み出し、読み出した対応情報ファイルを前記駐車場管理計算機に送信し、
前記駐車場管理計算機は、
前記車載器の送信した対応情報ファイルを受信した場合に、対応情報ファイルに含まれる特典利用先を示す割引駐車場と割引駐車場についての割引特典とに基づいて、前記駐車場の駐車料金の精算に使用することができる割引特典の合計を示す精算用割引特典を算出し、算出した精算用割引特典を用いて前記車両の駐車料金を算出し、算出した精算用割引特典と駐車料金とを前記駐車場に設けられた料金精算機に送信するとともに、精算用割引特典に相当する割引特典を前記携帯端末の記憶する対応情報ファイルから引き落とすことを命じる割引特典引落指令を前記車載器に送信し、
前記車載器は、
割引特典引落指令を受信した場合に、前記携帯端末の記憶する対応情報ファイルから精算用割引特典に相当する割引特典を引き落とすことを特徴とする駐車料金精算システム。
【請求項８】
前記対応情報ファイルは、
駐車料金の割引特典を付与する複数の特典付与元のそれぞれにより付与された割引特典と、割引特典を付与した特典付与元のそれぞれと、特典付与元のそれぞれにより付与されたそれぞれの割引特典を利用することができる少なくとも１つの特典利用先を示す割引駐車場とについての対応を示す対応情報を含むことを特徴とする請求項７記載の駐車料金精算システム。
【請求項９】
前記割引駐車場は、
複数であることを特徴とする請求項８記載の駐車料金精算システム
【請求項１０】
前記割引特典は、
駐車場への駐車時間を割り引く割引時間と、所定のポイント数に応じて駐車料金を割り引く割引ポイントとのいずれかであることを特徴とする請求項７または８または９記載の駐車料金精算システム。
【発明の詳細な説明】
【技術分野】
【０００１】
この発明は、所定の特典を付与する複数の特典付与元と、前記特典付与元の付与した特典を利用可能な複数の特典利用先との関係を示すファイルを記憶する携帯端末に関する。また、前記携帯端末を用いた駐車料金の精算システムに関する。
【背景技術】
【０００２】
従来では、ある地域において、店舗Ａ、Ｂ、Ｃ等が、顧客に利用させるために、それぞれ複数の駐車場Ｐ、Ｑ、Ｒ等と駐車契約をしており、駐車場Ｐ，Ｑ，Ｒ等の側は、それぞれ、複数の店舗Ａ、Ｂ、Ｃ等との駐車契約をしている。例えば、店舗Ａが駐車場Ｐ、Ｑ、Ｒと契約しており、店舗Ｂが駐車場Ｑ、Ｒと契約しており、店舗Ｃが駐車場Ｒと契約している。そして、このような関係のもとにおいて、各店舗が駐車場を利用する顧客のために、特典として駐車場の割引ポイントを付与する状況がある。割引ポイントを付与する各店舗は特典を付与する特典付与元であり、駐車場は割引ポイントという特典を利用できる特典利用先である。このような状況において、駐車場の割引ポイント、あるいは割引時間については、次のような課題があった。
（１）上記のように複数の店舗と複数の駐車場との関係が有る場合に、各店舗が付与する割引ポイントを統一して管理するシステムはなかった。このため、駐車場Ｑを利用している顧客が、店舗Ａ及び店舗Ｂの両者から駐車場Ｑの割引ポイントを付与された場合、顧客は、それぞれの駐車サービス券を精算時に提出しなければならない場合があった。また、店舗Ａ、Ｂの両者から駐車サービス券を付与された場合でも、駐車場Ｐを利用している場合は、店舗Ｂは駐車場Ｐと契約していないため、駐車場Ｐには店舗Ａの駐車サービス券しか使用できない。このような場合、顧客、あるいは駐車場側で駐車サービス券が利用できるかどうかを確認しなければならない場合があった。
（２）店舗においては、駐車サービス券の授受の動作が必要であった。
（３）駐車場を出場時に駐車サービス券を用いた操作が必要であった。
（４）店舗が発行する駐車サービス券を個人毎かつ駐車場毎に管理し引き落とすことができなかった。
（５）駐車割引時間（あるいは駐車サービス券）を、利用者を特定して翌日以降へ持ちこすことができなかった。
【０００３】
このような課題について、例えば特開２００２−２２２２７６号公報では、「駐車券やレシートや入場カードや会員カード等の駐車場管理媒体を用いることなく、駐車場を利用することができる駐車場料金管理システムを提供する。」技術について開示している。
【０００４】
しかし、特開２００２−２２２２７６号公報では、複数の店舗と複数の駐車場との利用関係の課題を解決する技術についての開示はされていない。
【特許文献１】特開２００２−２２２２７６号公報
【発明の開示】
【発明が解決しようとする課題】
【０００５】
複数の特典付与元と複数の特典利用先との関係を携帯端末上で管理することにより、各特典付与元から付与された特典を個人毎に一元管理する。また、各特典付与元から付与された特典について、利用できる特典が異なるそれぞれの特典利用先に応じて、特典を引き当てるシステムを提供する。
【課題を解決するための手段】
【０００６】
この発明の携帯端末は、
所定の特典を付与する特典付与元により付与された特典と、特典を付与した特典付与元と、特典付与元により付与された特典を利用することができる特典利用先とについての対応を示す対応情報を含む対応情報ファイルを記憶するファイル記憶部と、
前記ファイル記憶部の記憶する対応情報ファイルの取得を求める取得要求を受信する通信部と、
前記通信部の受信した取得要求に応答して、対応情報ファイルを前記通信部を介して送信するファイル制御部と
を備えたことを特徴とする。
【発明の効果】
【０００７】
本発明により、複数の特典付与元と複数の特典利用先との関係を携帯端末上で一元管理することにより、特典を付与された側は、特典を効率よく利用することができる。また、特典を付与した側も付与した特典の利用を効率よく管理することができる。
【発明を実施するための最良の形態】
【０００８】
実施の形態１．
図１〜図８を使用して実施の形態１について説明する。実施の形態１は、店舗Ａ、Ｂ、Ｃ等の複数の店舗と、これらの店舗が顧客の車両を駐車させるために契約している複数の駐車場Ｐ、Ｑ、Ｒ等との間に契約関係がある場合において、店舗Ａ、Ｂ、Ｃ等の付与する駐車場の割引ポイントの利用を管理する駐車料金精算システムに関する。
【０００９】
図１は、店舗と駐車場の契約関係を示す図である。例えば、Ａ店舗はＰ駐車場、Ｑ駐車場と契約している。また、Ｂ店舗は、Ｒ駐車場と契約している。Ａ店舗等は、自己の店舗で買い物や食事などをした顧客に対して、契約している駐車場の割引ポイントを付与する。ここで「割引」とは駐車時間を割り引いてもよいし、駐車料金を割り引いてもよい。
実施の形態１では、割引ポイントは駐車場の駐車料金、駐車時間など駐車場についての割引を意味する。Ａ店舗〜Ｅ店舗は、顧客に対して割引ポイントという「特典」を付与する「特典付与元」である。また、Ａ店舗の付与する割引ポイントは、Ａ店舗が契約している駐車場であるＰ駐車場、Ｑ駐車場について利用することができる。この場合、Ｐ駐車場、Ｑ駐車場は、割引ポイントという「特典」を利用することができる「特典利用先」である。これらの関係は、他の店舗と駐車場（その店舗と契約している駐車場）についても同様である。
【００１０】
図２は、Ａ店舗の顧客が、Ａ店舗に配置されたＰＯＳ（Ｐｏｉｎｔ  Ｏｆ  Ｓａｌｅｓ）端末１（情報送信装置の一例）から割引ポイントを入手する様子を示す図である。顧客の携帯する携帯端末２は、ＰＯＳ端末１との通信により、「割引情報」（付与元情報の一例）を受信する。携帯端末２の例としては、携帯電話やＰＤＡ（ＰｅｒｓｏｎａｌＤｉｇｉｔａｌＡｓｓｉｓｔａｎｔ）などがある。ここで「割引情報」とは、（１）駐車場の利用についての割引ポイント（特典）、（２）割引ポイントを付与する店舗を識別する識別子（特典付与元）、例えば店舗の名称と、（３）割引ポイントを利用することができる契約駐車場の識別子（特典利用先）、例えば駐車場の名称とを含む。さらに日付を含んでもよい。図２の場合、例えば、（１）割引ポイント１０００点、（２）店舗名称としてＡ店舗、（３）契約駐車場としてＰ駐車場、Ｑ駐車場となる。これが後述の図４に示すＡ店舗の２００３年１２月２５日のデータに対応している。
【００１１】
図３は、携帯端末２のブロック図を示している。車載器３が接続されているが、車載器３との接続は後述する。携帯端末２は、ファイル記憶部２１、ファイル制御部２３、表示部２４、端末側通信部２５を備える。ファイル記憶部２１は、駐車割引管理ファイル２２を記憶し、後述のように駐車割引管理ファイル２２を駐車場管理計算機６に送信する。ファイル制御部２３は、駐車割引管理ファイル２２を制御する。表示部２４は、駐車割引管理ファイル２２を表示する。また、表示部２４は、後述のように割引情報に付加された付加情報に対応した画像を表示する。端末側通信部２５は、携帯端末２に対する外部装置と通信を行う。外部装置としては、ＰＯＳ端末１であり、また、車載器３である。
【００１２】
携帯端末２は、端末側通信部２５によりＰＯＳ端末１と通信をすることにより割引情報を受信する。ファイル制御部２３は、受信した割引情報をファイル記憶部２１に記憶させるとともに、受信した割引情報に基づいて、駐車割引管理ファイル２２を修正する。また、割引情報には所定の付加情報を付加することができる。図２に示すように携帯端末２は、割引情報とともに付加情報を受信する場合もある。ここで、「付加情報」とは、所定の広告を示す「広告情報」、所定の催し物についての情報を示す「イベント情報」、Ａ店舗の所在する地域の地域情報を示す「タウン情報」、あるいは「くじ」を付加して当選者には何らかの賞品などを与える「抽選情報」等がある。その他に、付加情報として「ニュース」を付加しても構わない。付加情報を受信した場合には、ファイル制御部２３が付加情報に基づいて付加情報に対応する画像を表示部２４に表示する。ここで、ＰＯＳ端末１と端末側通信部２５との通信手段は特に制限しない。例えば、通信手段としては、赤外線、ＢｌｕｅＴｏｏｔｈ（登録商標）、非接触ＩＣカード機能などを用いることができる。
【００１３】
図４は、携帯端末２のファイル記憶部２１の記憶する駐車割引管理ファイル２２（対応情報ファイルの一例）を示す図である。図２ではＡ店舗に配置されたＰＯＳ端末１から、割引情報を取得する場合を示したが、ＰＯＳ端末１はＡ店舗のほかＢ店舗、Ｃ店舗等にも配置されており、携帯端末２は、これらの店舗に配置されたＰＯＳ端末１と通信し、それぞれの店舗から店舗ごとの割引情報を取得する。取得した割引情報は駐車割引管理ファイル２２に記録されて管理される。この駐車割引管理ファイル２２は、形態端末２の表示部２４に表示して、内容を確認することができる。図４の駐車割引管理ファイル２２は、図１に示した店舗と駐車場の契約関係が存在する場合に、携帯端末２を携帯する顧客が、Ａ店舗、Ｃ店舗、Ｅ店舗で買い物等をして、Ａ店舗、Ｃ店舗、Ｅ店舗のそれぞれから割引ポイントを取得した場合を示している。駐車割引管理ファイル２２は、利用者Ｘ氏の氏名、割引ポイントを付与した店舗名、割引ポイントを付与した日付、割引ポイント、割引ポイントを利用できるポイント利用可能駐車場を記載している。利用者Ｘ氏は、携帯端末２の所有者であり、割引ポイントを付与された者である。
【００１４】
駐車割引管理ファイル２２は、割引ポイントと、割引ポイントを付与した複数の店舗と、この割引ポイントを利用できる複数のポイント利用可能駐車場とについての対応関係（対応情報の一例）を示している。ここで、Ａ店舗についてみると、割引ポイントは合計２０００ポイントが蓄積されており、この割引ポイントは、Ｐ駐車場とＱ駐車場に使用できる。また、Ｃ店舗の場合、割引ポイントは合計で１０００ポイントが蓄積されており、この割引ポイントは、Ｐ駐車場、Ｒ駐車場、Ｓ駐車場に使用できる。Ｅ店舗の場合、割引ポイントは合計で２０００ポイントが蓄積されており、この割引ポイントは、Ｒ駐車場、Ｔ駐車場に使用できる。
【００１５】
ここで駐車割引管理ファイル２２において、ポイント利用可能駐車場に着目すると、Ｐ駐車場は、Ａ店舗とＣ店舗の割引ポイントが使用可能である。したがって、Ｐ駐車場については、Ａ店舗の割引ポイントの２０００ポイントとＣ店舗の割引ポイントの１０００ポイントを合計した３０００ポイントが利用可能である。同様にして、Ｒ駐車場は、Ｃ店舗とＥ店舗の割引ポイントが使用可能である。したがって、Ｒ駐車場については、Ｃ店舗の割引ポイントの１０００ポイントとＥ店舗の割引ポイントの２０００ポイントを合計した３０００ポイントが利用可能である。一方、Ｑ駐車場、Ｓ駐車場、Ｔ駐車場については一つの店舗の割引ポイントのみが使用可能である。実施の形態１に係る駐車料金精算システムは、このような場合における駐車料金を精算する場合のシステムである。
【００１６】
図５は、実施の形態１に係る駐車料金精算システムの構成を示す図である。駐車料金精算システムは、複数の店舗であるＡ店舗、Ｂ店舗、Ｃ店舗等とこれらの店舗と契約関係にある駐車場であるＰ駐車場、Ｑ駐車場、Ｒ駐車場等から構成されている。店舗と駐車場の関係は図１で示した関係である。図５では、店舗はＡ〜Ｃ、駐車場はＰ〜Ｒまでしか表示していないが、図１の関係を想定している。各店舗では、ＰＯＳ端末１と携帯端末２との通信により、携帯端末２が割引情報を取得して、これを駐車割引管理ファイル２２に記憶する。駐車場を退場する車両には、携帯端末２を所持する者が搭乗している。車両には車載器３が設置されている。各駐車場は、駐車場を退場する車両の車載器３と通信を行い、車載器３と駐車場管理計算機６との間の精算処理の通信を仲介するＤＳＲＣ路側装置４、駐車場精算機５、駐車料金の精算計算をする駐車場管理計算機６を備えている。
【００１７】
図６は、駐車場への入場及び退場を示す図である。図５を具体的に示している。車両１０は車載器３を設置している。また、車両１０には携帯端末２を有する駐車場の利用者が搭乗している。Ｐ駐車場には、入場口、退場口にＤＳＲＣ路側装置４が設置されている。また、Ｐ駐車場は、駐車場精算機５、駐車場管理計算機６を備える。ＤＳＲＣ路側装置４は車載器３と通信して車載器３と駐車場管理計算機６との通信を仲介する。また、携帯端末２は車載器３と接続して、駐車割引管理ファイル２２を車載器３、及びＤＳＲＣ路側装置４を介して駐車場管理計算機６に送信する。
【００１８】
図７は、車両が駐車場に入場し、利用者が店舗で買い物をして割引ポイントを取得し、駐車場出口で駐車料金の精算を行って駐車場を退場するまでの過程を示すフローチャートである。図６と図７とを用いて、車両が駐車場に入場してから、駐車料金を精算して駐車場を退場するまでの過程の概略を説明する。
【００１９】
Ｓ１１において、車両１０がＰ駐車場の入場口に到着する。車両１０が入場口に到着すると、車載器３はＤＳＲＣ路側装置４と通信を行い、車載器ＩＤをＤＳＲＣ路側装置４に送信する。ＤＳＲＣ路側装置４は、受信した車載器ＩＤを駐車場管理計算機６に送信する。駐車場管理計算機６は、受信した車載器ＩＤと、車載器ＩＤを受信した時刻を車両１０がＰ駐車場に入場した時刻とみなし、この入場時刻とを記憶する。
【００２０】
Ｓ１２において、Ｐ駐車場の利用者Ｘ氏は、Ｃ店舗で買い物を行う。買い物に付随した特典としてＣ店舗から割引ポイントを５００ポイント取得する。この取得は、図２の説明で述べたとおりである。Ｃ店舗からの割引ポイントは、携帯端末２のファイル記憶部の駐車割引管理ファイル２２に記録される。
【００２１】
Ｓ１３において、利用者Ｘ氏は、Ａ店舗で食事をする。食事に付随した特典としてＡ店舗から割引ポイントを５００ポイント取得する。この取得は、図２の説明で述べたとおりである。Ａ店舗からの割引ポイントは、携帯端末２のファイル記憶部の駐車割引管理ファイル２２に記録される。これらＣ店舗、Ａ店舗からの割引ポイントの取得は、図４の駐車割引管理ファイル２２の２００４年２月３日のデータに対応する。
【００２２】
Ｓ１４において、利用者Ｘ氏はＰ駐車場にもどり、料金を精算する。この場合、利用者Ｘ氏は、携帯端末２と車載器３を電子的に接続して精算処理を行う。
【００２３】
Ｓ１５において、精算処理を終了し、Ｐ駐車場から退場する。なお、以前の持ち越し分の割引ポイントがあれば、それを利用することができる。すなわち、Ｓ１２、Ｓ１３では買い物、食事により割引ポイントを取得した。しかし、取得しない場合であっても、持ち越し分の割引ポイントが駐車割引管理ファイル２２に保有されているのであれば、これを利用することができる。あるいは、買い物をして割引ポイントを取得した場合、持ち越している割引ポイントに取得した割引ポイントを積み上げることができる。
【００２４】
次に、前記Ｓ１４で述べた精算処理の具体的な過程を図６、図８を用いて説明する。図８は、Ｐ駐車場の退場時における駐車料金精算時のフローチャートである。
【００２５】
Ｓ２１において、携帯端末２と車載器３とを接続する。ここで車載器３の構成を説明する。図３は車載器３の構成を示している。車載器３は、車載器ＩＤ格納部３１、車載器側制御部３２、ＤＳＲＣ通信部３３、車載器側接続部３４とを備えている。車載器ＩＤ格納部３１は、車載器ＩＤを記憶する。車載器側制御部３２は、各構成要素の制御を行う。ＤＳＲＣ通信部３３は、Ｐ駐車場の入場口と退場口に設けられたＤＳＲＣ路側装置４との通信を行う。車載器側接続部３４は、携帯端末２との間で通信を行う。通常は、車載器側接続部３４に携帯端末２を物理的に接続して通信を行うが、物理的に接続することに限定することはなく、無線により接続しても構わない。接続後に車載器３は、Ｐ駐車場からの退場を要求する退場通知信号を、ＤＳＲＣ路側装置４を介して、駐車場管理計算機６に送信する。
【００２６】
Ｓ２２において、駐車場管理計算機６は、携帯端末２のファイル記憶部２１の記憶する駐車割引管理ファイル２２の送信を要求する送信要求信号を送信する。この送信要求信号は、駐車場管理計算機６からＤＳＲＣ路側装置４を介して、車載器３に送信される。
【００２７】
Ｓ２３において、車載器３は、駐車割引管理ファイル２２の送信要求信号を受信した場合に、駐車場管理計算機６からの送信要求信号に応答して、携帯端末２に対して駐車割引管理ファイル２２の取得を要求して携帯端末２の記憶する駐車割引管理ファイル２２を読み出す。そして、車載器３は、読み出した駐車割引管理ファイル２２をＤＳＲＣ通信部３３によりＤＳＲＣ路側装置４を介して、駐車場管理計算機６に送信する。さらに具体的に説明すれば、車載器３の車載器側制御部３２は、携帯端末２の端末側通信部２５を介してファイル制御部２３に駐車割引管理ファイル２２の取得を要求する取得要求信号を送信する。取得要求信号を受信したファイル制御部２３は、取得要求に応答して駐車割引管理ファイル２２を端末側通信部２５を介して車載器３に送信する。車載器３の車載器側接続部３４は、駐車割引管理ファイル２２を受信する。
【００２８】
Ｓ２４において、車載器３の車載器側制御部３２は、受信した駐車割引管理ファイル２２をＤＳＲＣ通信部３３によりＤＳＲＣ路側装置４を介して駐車場管理計算機６に送信する。
【００２９】
Ｓ２５において、駐車場管理計算機６は、精算処理を行う。精算処理は車両１０の入場時に記憶した車載器ＩＤと、入場時刻を用いて行う。駐車場管理計算機６は、車載器３の送信した駐車割引管理ファイル２２を受信した場合に、駐車割引管理ファイル２２に含まれるポイント利用可能駐車場（割引駐車場）とポイント利用可能駐車場についての割引ポイント（割引特典）とに基づいて、Ｐ駐車場の駐車料金の精算に使用することができる割引ポイントの合計ポイントを算出する。携帯端末２のファイル記憶部２１は図４に示す駐車割引管理ファイル２２を記憶している。駐車場管理計算機６は、車両１０を駐車した駐車場がＰ駐車場であるので、駐車割引管理ファイル２２のポイント利用可能駐車場のなかからＰ駐車場を検索する。ポイント利用可能駐車場がＰ駐車場の場合は、Ａ店舗、Ｃ店舗の付与した割引ポイントが利用である。そこで駐車場管理計算機６は、まず、合計ポイントしてＡ店舗、Ｃ店舗の付与した割引ポイントの合計が３０００ポイントであることを確認する。次に、合計の３０００ポイントのうちで、Ｐ駐車場の駐車料金の精算に使用できる割引ポイントの合計である精算用割引ポイント（精算用割引特典）を算出する。この算出は、駐車場管理計算機６が予め記憶している所定の規則に基づき行う。例えば、前記合計ポイントの３０００ポイントを全部を精算用割引ポイントとしてもよいし、精算用割引ポイントを２０００ポイントに制限しても構わない。駐車場管理計算機６において自由に設定することができる。この設例では、全部の３０００ポイントを精算用割引ポイントとする。駐車場管理計算機６は、合計ポイントの３０００ポイントを基にして、車両１０の駐車料金の精算を行う。ポイント数からどのように駐車料金を割引するかは自由に決めることができる。例えば、３０００ポイントについて、１ポイント１円の割引としてもよいし、あるいは、１ポイント１秒の割引としても構わない。割引する規則をあらかじめ駐車場管理計算機６に組み込んでおき計算させることができる。駐車場管理計算機６は、精算用割引ポイントである３０００ポイントを用いて車両１０の駐車料金を算出する。そして、算出した精算用割引ポイント、算出した駐車料金とをＰ駐車場に設けられた駐車場精算機５に送信する。
【００３０】
Ｓ２６において、駐車場管理計算機６は、車載器３に対して、精算用割引ポイントである３０００ポイントに相当する割引ポイントを、携帯端末２の記憶する駐車割引管理ファイル２２から引き落とすことを命じる割引特典引落指令を送信する。
【００３１】
Ｓ２７において、車載器３は、割引特典引落指令を受信した場合に、携帯端末２の記憶する駐車割引管理ファイル２２から精算用割引ポイントの３０００ポイントに相当する割引ポイントを引き落とす。すなわち、ポイント利用可能駐車場がＰ駐車場の場合は、Ａ店舗、Ｃ店舗の付与した割引ポイントが利用可能であるので、Ａ店舗、Ｃ店舗の付与した割引ポイントから引き落とす。この場合は３０００ポイント全部を引き落とすので、図４の駐車割引管理ファイル２２におけるＡ店舗、Ｃ店舗の割引ポイントは「ゼロ」になる。
【００３２】
Ｓ２８において、車載器３の車載器側制御部３２は、携帯端末２の駐車割引管理ファイル２２から割引ポイントを引き落とした場合には、ＤＳＲＣ通信部３３からＤＳＲＣ路側装置４を介して、駐車場管理計算機６に、引き落とし完了通知を送信する。
【００３３】
車両１０における利用者Ｘは、駐車料金が表示された駐車場精算機５を確認して精算を完了する。現金の支払いが必要な場合は駐車場精算機５に現金を投入して精算を終了する。
【００３４】
実施の形態１の携帯端末は、ファイル記憶部が駐車割引管理ファイルを記憶するので、店舗が付与する割引ポイントを、個人ごと及びポイント利用可能駐車場ごとに管理することができる。また、割引ポイントの残りがある場合は、割引ポイントを持ち越すことができる。さらに、駐車料金の割引について分単位の割引が可能となり、また、分単位での持ち越しが可能となる。
【００３５】
実施の形態１の携帯端末は、店舗に設置されたＰＯＳ端末との通信により割引ポイントを取得するので、駐車券を必要とすることなく効率的に割引ポイントを取得することがきる。
【００３６】
実施の形態１の携帯端末は、店舗に設置されたＰＯＳ端末から付加情報を含む割引情報を受信するので、個人毎への宣伝を行うことができる。また、付加情報を受信する者の性別や年齢等に合わせて、送信する付加情報の内容を変更することもできる。
【００３７】
実施の形態１の駐車料金精算システムでは、携帯端末が、割引ポイントと、割引ポイントを付与した複数の店舗と、割引ポイントを利用可能な複数の駐車場との関係を示す駐車割引管理ファイルを記憶する。このため、各店舗の付与する割引ポイントを統合して蓄積することができる。また、利用できる割引ポイントが異なる駐車場についても、各店舗から付与され統合して蓄積した割引ポイントから利用可能な割引ポイントを引き当て、駐車場ごとに個別に割引ポイントを利用することができる。また、駐車割引管理ファイルを記憶することにより、割引ポイントに基づく駐車時間の割引については分単位の木目の細かなサービスを行うことができる。また、割引ポイントが残るような場合は持ち越しを認めるサービスを行うことができるのでサービスの向上を図ることができる。
【００３８】
以上のように実施の形態１の駐車料金精算システムにより、駐車場ごとの利用可能割引時間について、分単位での利用と持ち越し管理が可能となる。
【００３９】
以上のように実施の形態１の駐車料金精算システムにより、駐車場ごとの残り利用可能時間を携帯端末で確認できるため、簡単な買い物でも利用者が店舗を利用しようとする動機付けになる。
【００４０】
以上のように実施の形態１の駐車料金精算システムにより、店舗のＰＯＳ端末と携帯端末あとの通信を行い、駐車場の割引ポイントを付与する時点で、付加情報として携帯端末に広告やクーポン券を送り込むことができる。
【００４１】
実施の形態２．
図９、図１０を用いて実施の形態２について説明する。実施の形態１では、携帯端末２は駐車割引管理ファイル２２を記憶していた。これに対して、実施の形態２では、携帯端末２のファイル記憶部２１は、ポイント利用店舗管理ファイル２６を記憶する。そして、割引ポイントを利用できる「特典利用先」が、割引ポイントを付与した店舗である「特典付与元」であることを特徴とする。
【００４２】
図９は、所定の割引ポイント（特典）を付与するポイント付与店舗（特典付与元）と、割引ポイントを利用することができるポイント利用可能店舗（特典利用先）との対応を示す図である。
【００４３】
ポイント付与店舗であるＡ店舗が付与した割引ポイントは、Ａ店舗、Ｂ店舗、Ｃ店舗のいずれにおいても利用することができる。
【００４４】
ポイント付与店舗であるＢ店舗が付与した割引ポイントは、Ｂ店舗、Ｃ店舗のいずれにおいても利用することができる。
【００４５】
ポイント付与店舗であるＣ店舗が付与した割引ポイントは、Ｃ店舗のみで利用することができる。
【００４６】
Ａ店舗、Ｂ店舗、Ｃ店舗のそれぞれで買い物、食事などをすることで、これらの店舗から割引ポイントを付与される。割引ポイントの付与の方法は、実施の形態１の図２の場合と同様である。すなわち、ＰＯＳ端末１がＡ店舗、Ｂ店舗、Ｃ店舗のそれぞれに配置されており、携帯端末２は、これらのＰＯＳ端末１から割引ポイントを含む割引情報を受信する。割引情報の内容は実施の形態１と同様である。携帯端末２は、割引情報を受信し、図１０に示すポイント利用店舗管理ファイル２６を作成する。
【００４７】
図１０は、ポイント利用店舗管理ファイル２６（対応情報ファイルの一例）を示す図ある。ポイント利用店舗管理ファイル２６は、実施の形態１の図４の駐車割引管理ファイル２２に対応する。ポイント利用店舗管理ファイル２６には、割引ポイントを利用できる利用者Ｘ、割引ポイントを付与したポイント付与店舗、割引ポイントが付与された日付、付与された割引ポイント、割引ポイントを利用することができるポイント利用可能店舗が記載されている。
【００４８】
図１１は、携帯端末２と、Ｂ店舗に設置されたＰＯＳ端末１と通信の様子を示す図である。図１１は、Ｂ店舗で買い物をした場合に、携帯端末２のポイント利用店舗管理ファイル２６に保有する割引ポイントをＢ店舗で利用する場合を示している。図１１では、携帯端末２からＰＯＳ端末１に対してポイント利用店舗管理ファイル２６を送信している状態を示している。
【００４９】
Ｂ店舗における割引ポイント利用の動作を説明する。まず、Ｂ店舗のＰＯＳ端末１は、携帯端末２からポイント利用店舗管理ファイル２６を読み込む。次に、ＰＯＳ端末１は、ポイント利用店舗管理ファイル２６のポイント利用可能店舗のＢ店舗を参照して、Ｂ店舗に何ポイントの割引ポイントが存在するかを確認する。図１０の場合では、Ａ店舗の付与した２０００ポイントと、Ｂ店舗の付与した１０００ポイントを合計した、３０００ポイントが利用可能である。次に、ＰＯＳ端末１は、精算時において、料金から３０００ポイントに相当する金額を割り引く。
【００５０】
また、利用者Ｘ氏が、Ｃ店舗で割引ポイントを利用する場合の動作は次のようになる。Ｃ店舗のＰＯＳ端末１は、携帯端末２からポイント利用店舗管理ファイル２６を読み込む。ＰＯＳ端末１は、ポイント利用店舗管理ファイル２６のポイント利用可能店舗のＣ店舗を参照して、Ｃ店舗に対して、何ポイントの割引ポイントが存在するかを確認する。図１０の場合は、Ａ店舗の付与した２０００ポイントと、Ｃ店舗の付与した携帯端末２０００ポイントを合計した、４０００ポイントが利用可能である。ＰＯＳ端末１は、精算時において、料金から４０００ポイントに相当する金額を割り引く。
【００５１】
このように、各店舗（特典利用先）ごとに利用できる割引ポイントが異なるサービスを提供することができる。
【００５２】
実施の形態２の携帯端末は、割引ポイント利用店舗に割引ポイントを付与した店舗を含むポイント利用店舗管理ファイルを記憶する。このため、各店舗から付与された割引ポイントを蓄積できるとともに、蓄積した割引ポイントを、利用できる割引ポイントが異なる店舗においても利用することができる。
【図面の簡単な説明】
【００５３】
【図１】実施の形態１における店舗と契約駐車場との契約関係を示す図である。
【図２】実施の形態１における店舗での割引情報の入手を示す図である。
【図３】実施の形態１における携帯端末と車載器とのブロック図である。
【図４】実施の形態１における駐車割引管理ファイルを示す図である。
【図５】実施の形態１における駐車料金精算システムの概要を示す図である。
【図６】実施の形態１における駐車料金精算システムの車両の入退場を示す図である。
【図７】実施の形態１における駐車場への入退場を示すフローチャートである。
【図８】実施の形態１における駐車料金精算時のフローチャートである。
【図９】実施の形態２におけるポイント付与店舗とポイント利用可能店舗との関係を示す図である。
【図１０】実施の形態２におけるポイント利用店舗管理ファイルを示す図である。
【図１１】実施の形態２における携帯端末とＰＯＳ端末との接続を示す図である。
【符号の説明】
【００５４】
１  ＰＯＳ端末、２  携帯端末、３  車載器、４  ＤＳＲＣ路側装置、５  駐車場精算機、６  駐車場管理計算機、１０  車両、２１  ファイル記憶部、２２  駐車割引管理ファイル、２３  ファイル制御部、２４  表示部、２５  端末側通信部、２６  ポイント利用店舗管理ファイル、３１  車載器ＩＤ格納部、３２  車載器側制御部、３３  ＤＳＲＣ通信部、３４  車載器側接続部。
【図１】
2005284787.tif 000003
【図２】
2005284787.tif 000004
【図３】
2005284787.tif 000005
【図４】
2005284787.tif 000006
【図５】
2005284787.tif 000007
【図６】
2005284787.tif 000008
【図７】
2005284787.tif 000009
【図８】
2005284787.tif 000010
【図９】
2005284787.tif 000011
【図１０】
2005284787.tif 000012
【図１１】
2005284787.tif 000013